(57)【要約】【課題】作業者が交換部品を取得する際、作業者の労力及び作業時間を抑制し、且つ作業者による誤った交換部品の取得を防止すること。【解決手段】部品管理システム１は、工作機械Ｍに用いられる加工工具または消耗品を含む交換部品Ｔを管理する部品管理システム１であって、複数の交換部品Ｔをそれぞれ保管する保管部２と、複数の交換部品Ｔにおけるそれぞれの保管場所Ｐを報知する報知部３と、工作機械Ｍから送られる交換部品Ｔの交換要請情報Ｄ１に基づいて、予め複数の交換部品Ｔのそれぞれの保管場所Ｐが登録されている保管リストＤ３から対象の交換部品Ｔを選択する部品選択部２１、及び部品選択部２１により選択された対象の交換部品Ｔの保管場所Ｐを報知部３に報知させる報知指示部２２を有する制御部４と、を備える。【選択図】図１
2019028921.tif 000002
【特許請求の範囲】
【請求項１】
工作機械に用いられる加工工具または消耗品を含む交換部品を管理する部品管理システムであって、
複数の前記交換部品をそれぞれ保管する保管部と、
複数の前記交換部品におけるそれぞれの保管場所を報知する報知部と、
工作機械から送られる前記交換部品の交換要請情報に基づいて、予め複数の前記交換部品のそれぞれの保管場所が登録されている保管リストから対象の前記交換部品を選択する部品選択部、及び前記部品選択部により選択された前記対象の交換部品の保管場所を前記報知部に報知させる報知指示部を有する制御部と、を備える、部品管理システム。
【請求項２】
前記報知部は、前記保管部において複数の前記交換部品の保管場所を示すように設けられる複数の照明装置を有し、
前記報知指示部は、複数の前記照明装置のうち、前記対象の交換部品の保管場所を示す前記照明装置に対して、点灯、消灯、及び点滅のいずれかを実行させる、請求項１に記載の部品管理システム。
【請求項３】
前記制御部は、前記交換要請情報に基づいて、予め複数の前記交換部品のそれぞれと関連付けられて複数の作業者が登録されている作業者リストから対象の作業者を選択する作業者選択部と、前記作業者選択部により選択された前記対象の作業者が所持する携帯端末に前記交換要請情報を送信する送信部と、を備える、請求項１又は請求項２に記載の部品管理システム。
【請求項４】
前記保管部は、複数の前記交換部品の保管場所ごとに開閉可能に設けられる複数の扉と、前記扉をそれぞれロック可能なロック機構と、作業者識別情報を入力する作業者識別情報入力部を有し、
前記制御部は、前記作業者識別情報入力部に入力された前記作業者識別情報における作業者と、前記作業者選択部により選択された前記対象の作業者とが一致するか否かを判定する判定部を有し、前記判定部により作業者が一致すると判定した場合に、前記対象の交換部品が保管された前記保管部の前記扉における前記ロック機構のロックを解除する、請求項３に記載の部品管理システム。
【請求項５】
前記作業者識別情報は、作業者が所持するＲＦＩＤ、バーコード及び２次元コードの少なくとも１つにより提供される情報、及び作業者の生体情報の少なくとも一方を含む、請求項４に記載の部品管理システム。
【請求項６】
前記保管部は、前記交換部品の部品識別情報を入力する部品識別情報入力部を有し、
前記制御部は、前記部品識別情報入力部に入力された前記部品識別情報に基づいて、前記保管リストを生成する保管リスト生成部を備える、請求項１から請求項５のいずれか一項に記載の部品管理システム。
【請求項７】
前記制御部は、前記保管リストを出力する出力部を備える、請求項１から請求項６のいずれか一項に記載の部品管理システム。
【請求項８】
前記制御部は、前記保管リストに基づいて、前記保管部に保管されている前記交換部品の在庫を確認する確認部を有し、前記確認部により確認された在庫数が所定数より少ない場合にその旨又は補充要請を前記出力部により出力させる、請求項７に記載の部品管理システム。
【請求項９】
工作機械に用いられる加工工具または消耗品を含む交換部品を管理する部品管理システムにおける部品管理方法であって、
前記部品管理システムは、複数の前記交換部品をそれぞれ保管する保管部と、
複数の前記交換部品におけるそれぞれの保管場所を報知する報知部と、を備え、
工作機械から送られる前記交換部品の交換要請情報に基づいて、予め複数の前記交換部品のそれぞれの保管場所が登録されている保管リストから対象の前記交換部品を選択することと、
選択された前記対象の交換部品の保管場所を前記報知部に報知させることと、を備える、部品管理方法。
【発明の詳細な説明】
【技術分野】
【０００１】
本発明は、部品管理システム及び部品管理方法に関する。
【背景技術】
【０００２】
生産性を向上させるため、工作機械の稼働率及び作業者の作業効率の向上が求められている。工作機械では、加工工具あるいは消耗品などの交換部品の交換の作業が必要とされる。交換部品の交換作業は、工作機械を停止して行われるため、生産性の低下を招く。このため、交換部品の交換作業は、作業時間の短縮が求められる。下記の特許文献１には、工作機械の交換部品の不足、寿命等の点検項目を、交換部品の交換作業に先立って点検し、点検結果を作業者に通知する工作機械の管理システムが記載されている。
【先行技術文献】
【特許文献】
【０００３】
【特許文献１】特開２００３−２２１２９号公報
【発明の概要】
【発明が解決しようとする課題】
【０００４】
工作機械の交換部品は多種多様である。複数の工作機械を備える工場では、多種類の交換部品がストックされる。このため、工作機械の交換部品の交換作業では、作業者による交換部品の取得作業において、労力と時間がかかる。例えば、作業者が交換部品を取得する際、交換部品の種類、形状、その保管場所等の交換部品に関する情報が必要とされる。交換部品に関する情報の入手は、通常、作業者が紙ベースの書類あるいはコンピュータに保管される管理情報を参照すること等で行われるため、労力と時間がかかる。また、作業者が交換部品を保管場所から取得する際、例えば、交換部品の保管場所に関する情報の質、交換部品の種類数、保管状況等によっては、交換部品の探索作業に労力と時間がかかってしまうことがある。
【０００５】
また、上記交換部品の取得作業では、交換部品の種類が多く且つ人為的な作業が多いため、交換部品の種類を誤るミスが生じる場合がある。工作機械の交換部品を誤った場合、作業効率の低下、加工品の不良、工作機械の故障等を招くおそれがある。
【０００６】
以上のような事情に鑑み、本発明は、作業者が交換部品を取得する際の作業者の労力及び作業時間を抑制し、且つ作業者による誤った交換部品の取得を防止することを目的とする。
【課題を解決するための手段】
【０００７】
本発明に係る部品管理システムは、工作機械に用いられる加工工具または消耗品を含む交換部品を管理する部品管理システムであって、複数の交換部品をそれぞれ保管する保管部と、複数の交換部品におけるそれぞれの保管場所を報知する報知部と、工作機械から送られる交換部品の交換要請情報に基づいて、予め複数の交換部品のそれぞれの保管場所が登録されている保管リストから対象の交換部品を選択する部品選択部、及び部品選択部により選択された対象の交換部品の保管場所を報知部に報知させる報知指示部を有する制御部と、を備える。
【０００８】
また、報知部は、保管部において複数の交換部品の保管場所を示すように設けられる複数の照明装置を有し、報知指示部は、複数の照明装置のうち、対象の交換部品の保管場所を示す照明装置に対して、点灯、消灯、及び点滅のいずれかを実行させてもよい。また、制御部は、交換要請情報に基づいて、予め複数の前記交換部品のそれぞれと関連付けられて複数の作業者が登録されている作業者リストから対象の作業者を選択する作業者選択部と、作業者選択部により選択された対象の作業者が所持する携帯端末に交換要請情報を送信する送信部と、を備えてもよい。また、保管部は、複数の交換部品の保管場所ごとに開閉可能に設けられる複数の扉と、扉をそれぞれロック可能なロック機構と、作業者識別情報を入力する作業者識別情報入力部を有し、制御部は、作業者識別情報入力部に入力された作業者識別情報における作業者と、作業者選択部により選択された対象の作業者とが一致するか否かを判定する判定部を有し、判定部により作業者が一致すると判定した場合に、対象の交換部品が保管された保管部の扉におけるロック機構のロックを解除してもよい。また、作業者識別情報は、作業者が所持するＲＦＩＤ、バーコード及び２次元コードの少なくとも１つにより提供される情報、及び作業者の生体情報の少なくとも一方を含んでもよい。また、保管部は、交換部品の部品識別情報を入力する部品識別情報入力部を有し、制御部は、部品識別情報入力部に入力された部品識別情報に基づいて、保管リストを生成する保管リスト生成部を備えてもよい。また、制御部は、保管リストを出力する出力部を備えてもよい。また、制御部は、保管リストに基づいて、保管部に保管されている交換部品の在庫を確認する確認部を有し、確認部により確認された在庫数が所定数より少ない場合にその旨又は補充要請を出力部により出力させてもよい。
【０００９】
また、本発明に係る部品管理方法は、工作機械に用いられる加工工具または消耗品を含む交換部品を管理する部品管理システムにおける部品管理方法であって、部品管理システムは、複数の交換部品をそれぞれ保管する保管部と、複数の交換部品におけるそれぞれの保管場所を報知する報知部と、を備え、工作機械から送られる交換部品の交換要請情報に基づいて、予め複数の交換部品のそれぞれの保管場所が登録されている保管リストから対象の交換部品を選択することと、選択された対象の交換部品の保管場所を報知部に報知させることと、を備える。
【発明の効果】
【００１０】
本発明に係る部品管理システム及び部品管理方法は、作業者が交換部品を取得する際の労力及び作業時間を抑制し、且つ作業者による誤った交換部品の取得を防止することができる。
【００１１】
また、報知部が、保管部において複数の交換部品の保管場所を示すように設けられる複数の照明装置を有し、報知指示部が、複数の照明装置のうち、対象の交換部品の保管場所を示す照明装置に対して、点灯、消灯、及び点滅のいずれかを実行させる場合、簡単な構成で、保管場所を確実に報知することができる。また、制御部が、交換要請情報に基づいて、予め複数の前記交換部品のそれぞれと関連付けられて複数の作業者が登録されている作業者リストから対象の作業者を選択する作業者選択部と、作業者選択部により選択された対象の作業者が所持する携帯端末に交換要請情報を送信する送信部と、を備える場合、対象の作業者に対して交換要請情報を送信するので、交換要請情報を対象の作業者に確実に伝えることができる。また、この場合、携帯端末を用いるので、システムの利便性を向上させることができる。また、保管部が、複数の交換部品の保管場所ごとに開閉可能に設けられる複数の扉と、扉をそれぞれロック可能なロック機構と、作業者識別情報を入力する作業者識別情報入力部を有し、制御部が、作業者識別情報入力部に入力された作業者識別情報における作業者と、作業者選択部により選択された対象の作業者とが一致するか否かを判定する判定部を有し、判定部により作業者が一致すると判定した場合に、対象の交換部品が保管された保管部の扉におけるロック機構のロックを解除する場合、対象の作業者のみを交換部品にアクセスさせるので、作業者による誤った交換部品の取得を防止することができ、且つセキュリティ性を向上させることができる。また、作業者識別情報が、作業者が所持するＲＦＩＤ、バーコード及び２次元コードの少なくとも１つにより提供される情報、及び作業者の生体情報の少なくとも一方を含む場合、利便性及びセキュリティ性を確保することができる。また、保管部が、交換部品の部品識別情報を入力する部品識別情報入力部を有し、制御部は、部品識別情報入力部に入力された部品識別情報に基づいて、保管リストを生成する保管リスト生成部を備える場合、部品識別情報に基づいて、自動的に保管リストを生成するので、保管リストの作成に伴う労力と作業時間を抑制し、且つ誤った保管リストを作成することを防止できる。また、制御部が、保管リストを出力する出力部を備える場合、保管される交換部品を簡単に確認することができる。また、制御部が、保管リストに基づいて、保管部に保管されている交換部品の在庫を確認する確認部を有し、確認部により確認された在庫数が所定数より少ない場合にその旨又は補充要請を出力部により出力させる場合、保管する交換部品の在庫を簡単且つ確実に管理することができる。
【図面の簡単な説明】
【００１２】
【図１】第１実施形態に係る部品管理システムを概念的に示す図である。
【図２】（Ａ）は、交換要請情報を示す図である。（Ｂ）は、交換要請リストを示す図である。
【図３】報知部の動作を示す図である。
【図４】保管リストを示す図である。
【図５】第１実施形態に係る部品管理システムの動作を示すフローチャートである。
【図６】第２実施形態に係る部品管理システムを概念的に示す図である。
【図７】作業者リストを示す図である。
【図８】第２実施形態に係る部品管理システムの動作を示すフローチャートである。
【図９】第３実施形態に係る部品管理システムを概念的に示す図である。
【図１０】（Ａ）は、交換部品識別情報リストを示す図である。（Ｂ）は、保管リスト生成のフローチャートである。
【図１１】（Ａ）は、在庫リストを示す図である。（Ｂ）は、在庫閾値リストを示す図である。（Ｃ）は、発注先リストを示す図である。
【図１２】第１変形例に係る部品管理システムを示す図である。
【図１３】第２変形例に係る部品管理システムを示す図である。
【図１４】第３変形例に係る部品管理システムを示す図である。
【発明を実施するための形態】
【００１３】
以下、実施形態について図面を参照しながら説明する。以下の各図において、ＸＹＺ座標系を用いて図中の方向を説明する。このＸＹＺ座標系においては、鉛直方向をＺ方向とし、水平方向をＸ方向、Ｙ方向とする。また、Ｘ方向、Ｙ方向、及びＺ方向のそれぞれについて、適宜、矢印の先の側を＋側（例、＋Ｘ側）と称し、その反対側を−側（例、−Ｘ側）と称する。
【００１４】
[第１実施形態]
図１は、実施形態に係る部品管理システムを概念的に示す図である。部品管理システム１は、保管部２、報知部３、及び制御部４、を備える。部品管理システム１は、工作機械Ｍで用いられる加工工具または消耗品を含む交換部品Ｔを管理する。部品管理システム１は、例えば、工場などに設置される。工作機械Ｍの数は、任意であり、例えば、１台でもよいし、複数でもよい。本実施形態では、工作機械Ｍが工作機械１〜工作機械ｎのｎ台であるとして説明する。また、各工作機械Ｍの種類は、限定されず任意である。例えば、各工作機械Ｍは、レーザ加工機、旋盤、マシニングセンタ、パンチプレス、プレスブレーキ、レーザ加工装置およびパンチプレスを備える複合加工機等である。各工作機械Ｍは、部品管理システム１の制御部４に、無線又は有線により、通信可能に接続される。各工作機械Ｍは、制御部４との間で、各種情報のやりとりが可能である。なお、工作機械Ｍが複数である場合、各工作機械Ｍは、互いに同じ種類でもよいし、互いに異なる種類でもよい。また、各工作機械Ｍの設置場所は、任意である。例えば、各工作機械Ｍは、同じ建物に配置されず、複数の異なる建物に配置されていてもよい。
【００１５】
交換部品Ｔは、例えば、工作機械Ｍで用いられる加工工具（工具）または消耗品である。交換部品Ｔの種類は、限定されず任意である。例えば、加工工具は、切断加工、切削加工、研削加工、成形加工等に用いられる加工工具である。例えば、加工工具は、レーザ、鋸等の切断加工工具、ドリル、バイト等の切削加工工具、研削ホイール等の研削加工工具、金型などの成形加工工具等である。消耗品は、例えば、工作機械Ｍに用いられる各種消耗品である。例えば、消耗品は、ボルト、ナット、パイプ、ビス、歯車、Ｏリング、ベルト、チャック、モータ等の各種部品、フィルタ、潤滑油等である。なお、交換部品Ｔは、加工工具または消耗品以外でもよく、例えば、工作機械Ｍの制御、管理等に用いられるプログラム（プログラムを含む記録媒体）、工作機械Ｍで加工に用いるワークでもよい。
【００１６】
工作機械Ｍは、交換部品Ｔを管理する機構を備えている。工作機械Ｍは、工作機械Ｍを制御、管理する制御装置を備え、制御装置により交換部品Ｔを管理する。工作機械Ｍは、例えば、交換部品Ｔの使用期間、使用回数（ヒット回数）等の履歴情報、交換部品Ｔの故障を示す情報等に基づいて、交換部品Ｔの交換のタイミング（寿命）を管理する。例えば、工作機械Ｍは、ある交換部品Ｔの使用期間（使用回数）が予め設定された閾値を超えたとき、あるいは交換部品Ｔの故障を示す情報を検知したときに、交換部品Ｔの交換のタイミングであると判定する。工作機械Ｍは、交換部品Ｔの交換のタイミングであると判定した場合、交換部品Ｔの交換を要請する情報（交換要請情報Ｄ１）を生成することにより、作業者Ｕ（図５参照）に交換部品Ｔの交換を要請する。
【００１７】
図２（Ａ）は、交換要請情報を示す図である。交換要請情報Ｄ１は、例えば、交換部品Ｔの交換の要請であることを示す情報（図２（Ａ）では「交換要請」）と、対象となる交換部品Ｔを示す情報と、を含む。交換部品Ｔを示す情報は、種類ごとに割り付けられた情報（例、識別番号）である。本実施形態では、交換部品Ｔを示す情報がＴ１〜Ｔｎであり、Ｔ１〜Ｔｎの情報を有する交換部品Ｔが交換部品Ｔ１〜Ｔｎであるとして説明する。なお、交換要請情報Ｄ１は、他の情報を含んでもよい。例えば、交換要請情報Ｄ１は、交換部品Ｔの交換のタイミングを示す情報、交換要請情報Ｄ１が生成された時刻等の情報を含んでもよい。
【００１８】
工作機械Ｍは、交換要請情報Ｄ１に基づいて、交換部品Ｔの交換の要請を外部に報知する。例えば、工作機械Ｍは、「交換部品Ｔ１を交換してください」などの交換の要請に関する情報を、ディスプレイ等の表示装置６に出力することにより、外部に報知する（図１参照）。これにより、作業者Ｕは、交換部品Ｔの交換のタイミングであることを知ることができる。作業者Ｕは、交換部品Ｔの交換を行うため、交換対象の交換部品Ｔを、次に説明する保管部２から取得する。
【００１９】
また、交換要請情報Ｄ１は、工作機械Ｍから部品管理システム１に送られる。なお、交換要請情報Ｄ１が、工作機械Ｍから部品管理システム１に送られるとは、交換要請情報Ｄ１が工作機械Ｍから直接または間接的に部品管理システム１に伝達されることを意味する。例えば、交換要請情報Ｄ１は、工作機械Ｍから直接部品管理システム１に出力されてもよい。また、交換要請情報Ｄ１は、部品管理システム１が工作機械Ｍから取得してもよい。また、交換要請情報Ｄ１は、上記工作機械Ｍの制御装置以外の他のコンピュータ（例、工作機械Ｍの上位コントローラ、図６に示す携帯端末ＴＭ）等を介して間接的に工作機械Ｍから部品管理システム１に伝達されてもよい。本実施形態では、交換要請情報Ｄ１は、工作機械Ｍから部品管理システム１に出力される。工作機械Ｍは、交換要請情報Ｄ１を生成し、直ちに、部品管理システム１に出力する。
【００２０】
保管部２について説明する。保管部２は、複数の交換部品Ｔを保管する。保管部２の数は、任意であり、例えば、１台でもよいし、複数でもよい。本実施形態では、保管部２が複数であるとして説明する。各保管部２は、交換部品Ｔを保管可能な保管場所Ｐを、複数備えている。保管場所Ｐの数は、任意である。各保管場所Ｐは、開閉可能に設けられる扉８と、扉８をロック可能なロック機構９と、を有する。各保管場所Ｐには、例えば、１種類の交換部品Ｔが保管される。各保管場所Ｐに保管する交換部品Ｔの数は、任意であり、１つでもよいし、複数でもよい。各ロック機構９は、電気信号により、扉８のロックと扉８のロック解除との切り替えが可能な電子ロックである。保管部２は、制御部４に、無線又は有線により、通信可能に接続される。各保管部２は、制御部４との間で、各種情報のやりとりが可能である。各保管部２は、制御部４により、動作が制御される。例えば、各ロック機構９は、後に説明するロック制御部２３の制御により、扉８のロックと扉８のロック解除との切り替えを行う。保管部２は、扉８の開閉情報等の保管場所Ｐ毎の動作に関する情報を、制御部４に出力する。
【００２１】
また、各保管部２には、各種情報を入力可能な入力部１２、各種情報を表示可能な表示部１３が設けられている。入力部１２は、例えば、キーボード、ボタン、タッチパネル等の入力装置である。表示部１３は、ディスプレイ、タッチパネル等の表示装置である。作業者Ｕは、例えば、入力部１２を介して、保管場所Ｐからの交換部品Ｔの取得の完了を示す情報（取得完了情報）を入力することができる。また、作業者Ｕは、保管場所Ｐの交換部品Ｔの保管に関する情報（例、保管場所、交換部品Ｔの種類、取得した交換部品Ｔの個数、保管される交換部品Ｔの個数、保管場所への交換部品Ｔの保管完了を示す情報）を入力することができる。
【００２２】
報知部３は、複数の交換部品Ｔにおけるそれぞれの保管場所Ｐを報知する。本実施形態では、報知部３は、保管部２において複数の交換部品Ｔの保管場所Ｐを示すように設けられる複数の照明装置１５を有する。各照明装置１５は、保管場所Ｐ毎に設けられている。各照明装置１５が配置される位置は、図１等に示す例では、各扉８であるが、この例に限定されず任意である。例えば、各照明装置１５が配置される位置は、各扉８の近傍でもよい。各照明装置１５は、例えば、電球、ＬＥＤ等である。
【００２３】
図３は、報知部３の動作を示す図である。報知部３は、複数の交換部品Ｔにおけるそれぞれの保管場所Ｐの報知を、照明装置１５のうち、対象の交換部品Ｔの保管場所Ｐを示す照明装置１５を点灯、消灯、及び点滅のいずれかをさせることにより行う。例えば、本実施形態では、図３に示すように、対象の交換部品Ｔ１が保管場所Ｐ１に保管される場合、報知部３は、後に説明する報知指示部２２の制御により、保管場所Ｐ１に設けられる照明装置１５のみを点灯又は点滅させる。なお、報知部３は、報知指示部２２の制御により、複数の交換部品Ｔにおけるそれぞれの保管場所Ｐの報知を、照明装置１５のうち、対象の交換部品Ｔの保管場所Ｐを示す照明装置１５を消灯させ、且つ照明装置１５のうち、対象の交換部品Ｔの保管場所Ｐ以外の照明装置１５を点灯させることにより行ってもよい。これにより、対象の交換部品Ｔが保管される保管場所Ｐ１が、報知される。作業者Ｕは、上記報知部３による報知により、対象の交換部品Ｔ１が保管される保管場所Ｐ１を知ることができる。本実施形態では、上記報知部３による報知の際、保管部２は、図１に示すように、後に説明するロック制御部２３により、ロック機構９による保管場所Ｐ１の扉８のロックが解除される。なお、保管場所Ｐ１以外の保管場所Ｐの扉８は、ロック制御部２３により、ロック機構９によりロックされる。保管部２及び報知部３の動作については、後に図５において説明する。なお、ロック機構９は、暗証番号、磁気カード、ＲＦＩＤ、携帯端末の識別情報等の認証情報により、扉８のロックと扉８のロック解除の切り替えを行う機構でもよい。また、ロック機構９は、なくてもよい。また、入力部１２及び表示部１３の少なくとも１つは、なくてもよい。
【００２４】
次に、図１の制御部４について説明する。制御部４は、各種データの処理、保管部２及び報知部３の各部の制御を行う。制御部４は、記憶部２０、部品選択部２１、報知指示部２２、ロック制御部２３、及び保管リスト生成部２４を備える。制御部４は、例えば、ＣＰＵ、メインメモリ、ハードディスクなどの記憶装置、有線あるいは無線により通信を行う通信装置、キーボードあるいはマウスなどの入力装置、ディスプレイなどの表示装置、及び動作に必要な各種プログラムを備えるコンピュータ装置により構成される。
【００２５】
記憶部２０は、各種情報を記憶（格納）する。記憶部２０は、記憶装置である。記憶部２０は、交換要請リストＤ２、及び保管リストＤ３等を記憶する。図２（Ｂ）は、交換要請リストを示す図である。交換要請リストＤ２は、例えば、対象（送信先）の工作機械Ｍを示す情報（対象機械、例、工作機械１〜ｎ、工作機械の識別番号）と、交換要請情報Ｄ１とが関連付けられた情報（交換要請情報、例、交換要請、交換部品Ｔ１〜Ｔｎ）を含む。交換要請リストＤ２は、工作機械Ｍから送られる交換要請情報Ｄ１に応じて更新される。
【００２６】
図４は、保管リストを示す図である。保管リストＤ３は、予め複数の交換部品Ｔ１〜Ｔｎのそれぞれの保管場所Ｐが登録される情報である。保管リストＤ３は、例えば、保管部２に保管される交換部品Ｔを示す情報（Ｔ１〜Ｔｎ）と、その保管場所Ｐを示す情報Ｐ１〜Ｐｎと、が関連付けられた情報である。保管場所Ｐを示す情報Ｐ１〜Ｐｎは、例えば、保管場所Ｐの識別情報（例、識別番号、位置情報（番地））である。本実施形態では、Ｐ１〜Ｐｎの保管場所Ｐが保管場所Ｐ１〜Ｐｎであるとして説明する。なお、保管リストＤ３は、上記以外の情報を含んでもよい。例えば、保管リストＤ３は、交換部品Ｔの個数、交換部品Ｔに関する情報（交換部品Ｔの説明、型番等）を含んでもよい。保管リストＤ３は、予め記憶部２０に記憶される。また、保管リストＤ３は、後に説明するように、保管リスト生成部２４により、適宜更新される。
【００２７】
部品選択部２１（図１参照）は、工作機械Ｍから送られる交換要請情報Ｄ１に基づいて、保管リストＤ３から対象の交換部品Ｔを選択する。例えば、図２（Ａ）に示す例では、工作機械１からＴ１の交換部品Ｔの交換要請に関する交換要請情報Ｄ１が送られている。この際、交換要請情報Ｄ１は、制御部４の処理により、交換要請リストＤ２として、記憶部２０に記憶される。部品選択部２１は、交換要請リストＤ２に基づいて、図４に示す保管リストＤ３から交換部品Ｔ１とその保管場所Ｐ１との情報を選択する。
【００２８】
報知指示部２２（図１参照）は、部品選択部２１により選択された対象の交換部品Ｔの保管場所Ｐを報知部３に報知させる。本実施形態では、報知指示部２１は、報知部３に対して、複数の照明装置１５のうち、対象の交換部品Ｔの保管場所Ｐを示す照明装置１５に対して、点灯、消灯、及び点滅のいずれかを実行させることで、対象の交換部品Ｔの保管場所Ｐを報知部３に報知させる。例えば、本実施形態の場合、部品選択部２１が、図４に示す保管リストＤ３から対象の交換部品Ｔ１と、その保管場所Ｐ１を選択した場合、報知指示部２２は、報知部３に対して、保管場所Ｐ１に配置される照明装置１５の点灯又は点滅を実行させることにより、報知部３に対象の交換部品Ｔ１の保管場所Ｐ１を報知させる。なお、報知指示部２１は、報知部３による対象の交換部品Ｔの保管場所Ｐの報知を、複数の照明装置１５のうち、対象の交換部品Ｔの保管場所Ｐを示す照明装置１５を消灯させ、かつ、複数の照明装置１５のうち、対象の交換部品Ｔの保管場所Ｐ以外の照明装置１５を点灯させるように、報知部３を制御することで行ってもよい。
【００２９】
ロック制御部２３は、ロック機構９のロックとロックの解除との切り替えを制御する。ロック制御部２３は、例えば、部品選択部２１により選択された対象の交換部品Ｔの保管場所Ｐのロック機構９のロックを解除させる。また、ロック制御部２３は、部品選択部２１により選択された対象の交換部品Ｔの保管場所Ｐ以外の保管場所Ｐのロック機構９を、ロック状態にさせる。なお、ロック制御部２３は、なくてもよい。
【００３０】
保管リスト生成部２４は、保管リストＤ３を更新する。保管リスト生成部２４は、例えば、入力部１２等から入力された保管場所Ｐの交換部品Ｔの保管に関する情報（例、保管場所、交換部品Ｔの種類、取得した交換部品Ｔの個数、保管される交換部品Ｔの個数、保管場所への交換部品Ｔの保管完了を示す情報）に基づいて、保管リストＤ３を更新する。なお、保管リスト生成部２４は、なくてもよい。
【００３１】
次に、本実施形態に係る部品管理方法を、上述した本実施形態の部品管理システム１に基づいて説明する。図５は、本実施形態の部品管理システム１の動作を示すフローチャートである。なお、以下の説明では、適宜、図１〜図４を参照する。
【００３２】
ステップＳ１において、複数の工作機械Ｍは、それぞれ、製品の生産を行う。ステップＳ２において、交換要請情報Ｄ１（図２（Ａ）参照）が、工作機械Ｍから部品管理システム１に送られる（伝達される）。工作機械Ｍは、交換部品Ｔの交換のタイミングであると判定した場合、交換要請情報Ｄ１を生成する。工作機械Ｍは、例えば、「交換部品Ｔ１を交換してください」などの交換の要請に関する情報を表示装置６に出力することにより、外部に報知する（図１参照）。これにより、作業者Ｕは、交換部品Ｔに、工作機械Ｍからの交換要請があることを知る。工作機械Ｍは、生成した交換要請情報Ｄ１を部品管理システム１に出力する。
【００３３】
ステップＳ３において、部品選択部２１（図１参照）は、工作機械Ｍから送られる交換要請情報Ｄ１に基づいて、保管リストＤ３から対象の交換部品Ｔを選択する。交換要請情報Ｄ１は、制御部４により、交換要請リストＤ２として、記憶部２０に記憶される。部品選択部２１は、交換要請リストＤ２に基づいて、保管リストＤ３から、対象の交換部品Ｔ１〜Ｔｎとその保管場所Ｐ１〜Ｐｎの情報を選択する。
【００３４】
ステップＳ４において、報知指示部２２（図１参照）は、部品選択部２１により選択された対象の交換部品Ｔの保管場所Ｐを報知部３に報知させる。例えば、部品選択部２１が、保管リストＤ３（図４参照）から、対象の交換部品Ｔ１と、その保管場所Ｐ１との情報を選択した場合、報知指示部２２は、上記のように、報知部３に対して、保管場所Ｐ１に配置される照明装置１５の点灯、消灯、及び点滅のいずれかの実行を指示する。
【００３５】
ステップＳ５において、報知部３（図１参照）は、報知指示部２２の制御により、複数の交換部品Ｔにおけるそれぞれの保管場所Ｐの報知を行う。例えば、報知部３は、上記のように、報知指示部２２の制御により、照明装置１５のうち、対象の交換部品Ｔの保管場所Ｐを示す照明装置１５に対して、を点灯、消灯、及び又は点滅のいずれかを実行させる（図３参照）。例えば、報知部３は、上記のように、照明装置１５のうち、対象の交換部品Ｔの保管場所Ｐを示す照明装置１５に対して、点灯又は点滅させる。これにより、対象の交換部品Ｔが保管される保管場所Ｐが報知される。作業者Ｕは、上記報知部３による報知により、対象の交換部品Ｔが保管される保管場所Ｐを知ることができる。このように、本実施形態の部品管理システム１では、対象の交換部品Ｔが保管される保管場所Ｐが、工作機械Ｍから送られる交換要請情報Ｄ１に基づいて、自動的に報知されるので、作業者Ｕが交換部品Ｔを取得する際における作業者Ｕの保管場所Ｐの探索の労力及び時間を抑制することができる。また、報知部３が、保管部２において複数の交換部品Ｔの保管場所Ｐを示すように設けられる複数の照明装置１５を有し、報知指示部２２が、複数の照明装置１５のうち、対象の交換部品Ｔの保管場所Ｐを示す照明装置１５を点灯又は点滅させる場合、簡単な構成で、保管場所Ｐを確実に報知することができる。
【００３６】
ステップＳ６において、ロック制御部２３（図１参照）は、部品選択部２１により選択された対象の交換部品Ｔの保管場所Ｐのロック機構９のロックを解除し、対象の交換部品Ｔの保管場所Ｐ以外の保管場所Ｐのロック機構９をロックするように指示（制御）する。ステップＳ７において、ロック機構９は、制御部４の制御により、対象の交換部品Ｔの保管場所Ｐの扉８のロックを解除する。これにより、作業者Ｕを対象の交換部品Ｔのみにアクセス可能にできるので、作業者Ｕによる誤った交換部品Ｔの取得を防止することができ、且つセキュリティ性を向上させることができる。例えば、図１の例のように対象の交換部品Ｔ１が保管場所Ｐ１に保管される場合、ロック機構９は、ロック制御部２３の制御により、保管場所Ｐ１のロック機構９のロックを解除し、保管場所Ｐ１以外の保管場所Ｐのロック機構９をロック状態する。これにより、作業者Ｕは、対象の交換部品Ｔ１が保管される保管場所Ｐ１の扉８を開けて、対象の交換部品Ｔ１を取得することができる。
【００３７】
ステップＳ８において、作業者Ｕは、報知部３による報知された対象の交換部品Ｔが保管される保管場所Ｐの扉８を開けて、対象の交換部品Ｔを取得する。
【００３８】
ステップＳ９において、保管部２は、制御部４に、作業者Ｕによる保管場所Ｐからの交換部品Ｔの取得の完了を示す情報（取得完了情報）を送信する。例えば、作業者Ｕは、保管部２の入力部１２により、取得完了情報を制御部４に対して送信する動作指令を入力する。保管部２は、上記動作指令に基づいて、制御部４に対して、取得完了情報を送信する。また、作業者Ｕは、保管部２の入力部１２により、取得した交換部品Ｔの種類、個数等の情報を入力する。保管部２は、作業者Ｕによる入力情報を、制御部４に送信する。制御部４は、受信した取得完了情報に基づいて、交換要請リストＤ２から、完了した交換要請を削除する。
【００３９】
ステップＳ１０において、作業者Ｕは、交換部品Ｔの交換の要請があった工作機械Ｍにおいて、保管部２から取得した対象の交換部品Ｔを交換する。
【００４０】
以上説明したように、本実施形態の部品管理システム１及び部品管理方法は、作業者Ｕが交換部品を取得する際、作業者Ｕの労力及び作業時間を抑制し、且つ作業者Ｕによる誤った交換部品の取得を防止することができる。
【００４１】
［第２実施形態］
第２実施形態について説明する。本実施形態において、上述の実施形態と同様の構成については、同じ符号を付してその説明を省略あるいは簡略化する。
【００４２】
図６は、第２実施形態に係る部品管理システム１Ａを概念的に示す図である。本実施形態に係る部品管理システム１Ａは、交換要請情報Ｄ１に関する情報を、所定の作業者Ｕの携帯端末ＴＭに送信することができる。また、部品管理システム１Ａは、所定の作業者Ｕに対して、保管部２のロック機構９を解除することができる。部品管理システム１Ａは、保管部２Ａ、報知部３、及び制御部４Ａを備える。報知部３は、第１実施形態と同様である。
【００４３】
作業者Ｕの数は、任意であり、１人でもよいし複数人でもよい。本実施形態では、作業者Ｕがｎ人の作業者Ｕ１〜作業者Ｕｎであるとして説明する。各作業者Ｕは、携帯端末ＴＭを所持している。本実施形態では、作業者Ｕ１〜作業者Ｕｎが、それぞれ、携帯端末ＴＭ１〜ＴＭｎを所持するとして説明する。各携帯端末ＴＭは、制御部４と無線により通信可能に接続される。各携帯端末ＴＭは、例えば、スマートフォン、タブレットＰＣ、携帯電話等である。本実施形態では、各携帯端末ＴＭがスマートフォンであるとして説明する。各携帯端末ＴＭは、ＣＰＵ、メインメモリ、記憶装置、各種情報を表示可能な表示部２９、各種情報を入力可能な入力部（図示せず）、及び各種情報の通信を行う通信部（図示せず）等を有している。
【００４４】
各作業者Ｕは、作業者識別情報ｕＩＤを有している。本実施形態では、作業者Ｕ１〜作業者Ｕｎが作業者識別情報ｕＩＤ１〜ｕＩＤｎを有するとして説明する。作業者識別情報ｕＩＤは、作業者Ｕを識別可能な情報を提供する。作業者識別情報ｕＩＤの種類は、限定されず、任意である。作業者識別情報ｕＩＤは、例えば、ＲＦＩＤ、バーコード及び２次元コードの少なくとも１つにより提供される情報；作業者Ｕの指紋、虹彩、声紋、指の静脈等の生体情報；作業者Ｕごとに設定される暗証番号、暗証コード等のパスワード；携帯端末ＴＭにより提供される情報；のうちの少なくとも１つである。例えば、上記ＲＦＩＤ、バーコード及び２次元コードの少なくとも１つにより提供される情報は、カードに備えられる。作業者識別情報ｕＩＤが、作業者Ｕが所持するＲＦＩＤ、バーコード及び２次元コードの少なくとも１つにより提供される情報、及び作業者Ｕの生体情報の少なくとも１つを含む場合、利便性及びセキュリティ性を確保することができる。本実施形態では、作業者識別情報ｕＩＤが、ＲＦＩＤにより提供される情報であるとして説明する。
【００４５】
保管部２Ａは、複数の保管場所Ｐ、入力部１２、表示部１３、及び作業者識別情報入力部３１を備える。各保管場所Ｐ、入力部１２及び表示部１３は、それぞれ、第１実施形態と同様である。
【００４６】
作業者識別情報入力部３１は、作業者識別情報ｕＩＤを入力する。作業者識別情報入力部３１は、作業者識別情報ｕＩＤを読み取る読み取り装置である。作業者識別情報入力部３１は、作業者識別情報ｕＩＤの種類に応じて設定される。本実施形態では、作業者識別情報入力部３１は、ＲＦＩＤを読み取る装置である。作業者識別情報入力部３１に入力された作業者識別情報ｕＩＤは、制御部４に出力される。
【００４７】
制御部４Ａは、記憶部２０、部品選択部２１、報知指示部２２、ロック制御部２３Ａ、保管リスト生成部２４、作業者選択部３３、送信部３４、及び判定部３５を備える。記憶部２０、部品選択部２１、報知指示部２２、及び保管リスト生成部２４は、第１実施形態と同様である。
【００４８】
作業者選択部３３は、交換要請情報Ｄ１に基づいて、作業者リストＤ４から対象の作業者Ｕを選択する。図７は、作業者リストを示す図である。作業者リストＤ４は、予め交換部品Ｔ１〜Ｔｎのそれぞれと関連付けられて複数の作業者Ｕ１〜Ｕｎが登録される情報を含む。作業者リストＤ４は、例えば、作業者、担当交換部品、携帯端末、及び作業者識別情報の項目を含む。作業者リストＤ４は、例えば、作業者に対して、担当交換部品、携帯端末、及び作業者識別情報が関連付けられたテーブルデータである。例えば、作業者Ｕを示す情報Ｕ１〜Ｕｎは、作業者Ｕの名前である。担当交換部品は、例えば、作業者Ｕが交換を担当する交換部品Ｔ１〜Ｔｎである。携帯端末は、作業者Ｕ１〜Ｕｎが所持する携帯端末ＴＭ１〜ＴＭｎである。作業者識別情報は、作業者Ｕ１〜Ｕｎの作業者識別情報ｕＩＤ１〜ｕＩＤｎである。作業者リストＤ４は、例えば、図７に示すように、「作業者Ｕ１は、担当する交換部品Ｔが交換部品Ｔ１、所持する携帯端末ＴＭが携帯端末ＴＭ１、作業者識別情報がｕＩＤ１」のように表される。なお、図７の作業者リストＤ４における作業者Ｕ２に示すように、１人の作業者Ｕが複数の交換部品Ｔに関連付けられてもよいし、また、１つの交換部品Ｔが複数の作業者Ｕと関連付けられてもよい。作業者リストＤ４は、予め記憶部２０に記憶される。作業者選択部３３は、例えば、交換要請リストＤ２（図２（Ｂ）参照）に基づいて、作業者リストＤ４から対象の作業者Ｕを選択する。例えば、作業者選択部３３は、交換要請リストＤ２における交換部品Ｔを、作業者リストＤ４の担当交換部品の項目に照合し、作業者リストＤ４から対象の作業者Ｕを選択する。
【００４９】
送信部３４（図６参照）は、作業者選択部３３により選択された対象の作業者Ｕが所持する携帯端末ＴＭに交換要請情報Ｄ１を送信する。送信部３４は、作業者リストＤ４における作業者選択部３３により選択された対象の作業者Ｕと関連付けられる携帯端末ＴＭを選択し、選択した携帯端末ＴＭに交換要請情報Ｄ１を送信する。例えば、送信部３４は、選択した携帯端末ＴＭに交換要請情報Ｄ１を送信する。交換要請情報Ｄ１を受信した携帯端末ＴＭは、表示部２９に交換要請情報Ｄ１に基づく情報を表示する。
【００５０】
判定部３５（図６参照）は、作業者識別情報入力部３１に入力された作業者識別情報ｕＩＤにおける（対応する）作業者Ｕと、作業者選択部３３により選択された対象の作業者Ｕとが一致するか否かを判定する。判定部３５は、例えば、作業者リストＤ４に基づいて、作業者識別情報入力部３１に入力された作業者識別情報ｕＩＤが、作業者選択部３３により選択された対象の作業者Ｕの作業者識別情報ｕＩＤと一致するか否かを判定する。
【００５１】
ロック制御部２３Ａは、判定部３５により作業者識別情報入力部３１に入力された作業者ＩＤにおける作業者Ｕと、作業者選択部３３により選択された対象の作業者Ｕとが一致すると判定された場合、部品選択部２１により選択された対象の交換部品Ｔの保管場所Ｐのロック機構９によるロックを解除する。なお、ロック制御部２３Ａは、上記以外の構成が第１実施形態のロック制御部２３と同様である。
【００５２】
次に、本実施形態に係る部品管理方法を、上述した本実施形態の部品管理システム１Ａに基づいて説明する。図８は、本実施形態の部品管理システム１Ａの動作を示すフローチャートである。
【００５３】
ステップＳ１からステップＳ５は、第１実施形態と同様である。ステップＳ１０において、作業者選択部３３は、交換要請情報Ｄ１に基づいて、作業者リストＤ４から対象の作業者Ｕを選択する。ステップＳ１１において、送信部３４は、作業者選択部３３により選択された対象の作業者Ｕが所持する携帯端末ＴＭに、交換要請情報Ｄ１を送信する。ステップＳ１２において、交換要請情報Ｄ１を受信した携帯端末ＴＭは、表示部２９（図１参照）に交換要請情報Ｄ１に基づく情報を表示する。なお、携帯端末ＴＭは、交換要請情報Ｄ１を受信したときに、バイブレータ等で本体を振動させてもよい。
【００５４】
ステップＳ１３において、対象の作業者Ｕは、携帯端末ＴＭの表示部２９に表示された交換要請情報Ｄ１に基づく情報を確認する。ステップＳ１４において、対象の作業者Ｕは、携帯端末ＴＭに動作指令を入力して、携帯端末ＴＭから受信した交換要請情報Ｄ１の確認が完了したことを示す確認信号を制御部４に対して出力する。なお、制御部４は、上記確認信号がない場合、再度、交換要請情報Ｄ１を送信してもよい。
【００５５】
ステップＳ１５において、制御部４は、作業者識別情報ｕＩＤの入力を待ち受ける（要求する）。この際、制御部４は、保管部２の表示部１３に作業者識別情報ｕＩＤの入力を要求することを示すメッセージを表示させるように制御してもよい。ステップＳ１６において、対象の作業者Ｕは、作業者識別情報入力部３１に、作業者識別情報ｕＩＤを入力する。ステップＳ１７において、作業者識別情報入力部３１に入力された作業者識別情報ｕＩＤは、制御部４に出力される。
【００５６】
ステップＳ１８において、判定部３５は、作業者識別情報入力部３１に入力された作業者ＩＤにおける作業者Ｕと、作業者選択部３３により選択された対象の作業者Ｕとが一致するか否かを判定する。判定部３５は、例えば、作業者識別情報入力部３１に入力された作業者ＩＤが、作業者リストＤ４（図７参照）における作業者選択部３３により選択された対象の作業者Ｕと関連付けられる作業者ＩＤと一致するか否かを判定する。
【００５７】
判定部３５が、作業者識別情報入力部３１に入力された作業者ＩＤにおける作業者Ｕと、作業者選択部３３により選択された対象の作業者Ｕとが一致しないと判定した場合（ステップＳ１８のＮＯ）、ステップＳ１５に戻り、制御部４は、作業者ＩＤの入力を待ち受ける。
【００５８】
判定部３５が、作業者識別情報入力部３１に入力された作業者ＩＤにおける作業者Ｕと、作業者選択部３３により選択された対象の作業者Ｕとが一致すると判定した場合（ステップＳ１８のＹＥＳ）、ステップＳ１９において、ロック制御部２３Ａは、部品選択部２１により選択された対象の交換部品Ｔの保管場所Ｐにおけるロック機構９のロックを解除させる。ステップＳ２０において、ロック機構９は、ロック制御部２３Ａの制御により、部品選択部２１により選択された対象の交換部品Ｔの保管場所Ｐのロック機構９のロックを解除する。これにより、作業者Ｕは、対象の交換部品Ｔが保管される保管場所Ｐ１の扉８を開けて対象の交換部品Ｔを取得することが可能となる。
【００５９】
ステップＳ８及びステップＳ９は、第１実施形態と同様である。これにより、作業者Ｕは、対象の交換部品Ｔを保管部２Ａから取得し、交換部品Ｔの交換の要請があった工作機械Ｍにおいて、保管部２Ａから取得した対象の交換部品Ｔを交換する。
【００６０】
以上説明したように、本実施形態の部品管理システム１Ａ及び部品管理方法は、作業者Ｕが交換部品を取得する際、作業者Ｕの労力及び作業時間を抑制し、且つ作業者Ｕによる誤った交換部品の取得を防止することができる。
【００６１】
また、部品管理システム１Ａ及び部品管理方法では、制御部４が作業者選択部３３と送信部３４とを備え、対象の作業者Ｕに対して交換要請情報Ｄ１を送信するので、交換要請情報Ｄ１を対象の作業者Ｕに確実に伝えることができる。また、本実施形態の場合、携帯端末ＴＭを用いるので、システムの利便性を向上させることができる。また、部品管理システム１Ａ及び部品管理方法では、保管部２が、複数の交換部品Ｔの保管場所Ｐごとに設けられる複数の扉８と、扉８をそれぞれロック可能なロック機構９と、作業者識別情報入力部３１を有し、制御部４が、判定部３５を有し、判定部３５により作業者識別情報入力部３１に入力された作業者識別情報ｕＩＤにおける作業者Ｕと、作業者選択部３３により選択された対象の作業者Ｕとが一致すると判定された場合に、対象の交換部品Ｔが保管された保管部２の扉８におけるロック機構９のロックを解除する。この場合、対象の作業者Ｕのみを交換部品Ｔにアクセスさせるので、作業者Ｕによる誤った交換部品Ｔの取得を防止することができ、且つセキュリティ性を向上させることができる。
【００６２】
［第３実施形態］
第３実施形態について説明する。本実施形態において、上述の実施形態と同様の構成については、同じ符号を付してその説明を省略あるいは簡略化する。
【００６３】
図９は、第３実施形態に係る部品管理システム１Ｂを概念的に示す図である。本実施形態に係る部品管理システム１Ｂは、保管部２Ｂ、報知部３、及び制御部４Ｂ、を備える。報知部３は、第１実施形態と同様である。
【００６４】
本実施形態では、各交換部品Ｔは、図９に示すように、部品識別情報ｔＩＤを有している。本実施形態では、交換部品Ｔ１〜Ｔｎが部品識別情報ｔＩＤ１〜ｔＩＤｎを有するとして説明する。部品識別情報ｔＩＤは、交換部品Ｔを識別可能な情報である。各交換部品Ｔには、予め部品識別情報ｔＩＤが配置される。部品識別情報ｔＩＤの種類は、限定されず、任意である。部品識別情報ｔＩＤは、例えば、バーコードにより提供される情報、２次元コードにより提供される情報、及びＲＦＩＤにより提供される情報の少なくとも１つである。本実施形態では、部品識別情報ｔＩＤが、バーコードにより提供される情報であるとして説明する。
【００６５】
保管部２Ｂは、複数の保管場所Ｐ、入力部１２、表示部１３、作業者識別情報入力部３１、及び交換部品識別情報入力部４０を備える。各保管場所Ｐ、入力部１２、表示部１３、及び作業者識別情報入力部３１は、それぞれ、第１実施形態あるいは第２実施形態と同様である。
【００６６】
交換部品識別情報入力部４０は、部品識別情報ｔＩＤを入力する。交換部品識別情報入力部４０は、部品識別情報ｔＩＤを読み取る読み取り装置である。交換部品識別情報入力部４０は、部品識別情報ｔＩＤの種類に応じて設定される。本実施形態では、交換部品識別情報入力部４０は、バーコード（部品識別情報ｔＩＤ）を読み取る装置である。交換部品識別情報入力部４０に入力された作業者ＩＤは、制御部４に出力される。なお、部品識別情報ｔＩＤ及び交換部品識別情報入力部４０は、なくてもよい。
【００６７】
制御部４Ｂは、記憶部２０、部品選択部２１、報知指示部２２、ロック制御部２３Ａ、保管リスト生成部２４Ｂ、作業者選択部３３、送信部３４、判定部３５、出力部４２、確認部４３、及び自動発注部４４を備える。記憶部２０、部品選択部２１、報知指示部２２、ロック制御部２３Ａ、作業者選択部３３、及び送信部３４は、第１実施形態あるいは第２実施形態と同様である。
【００６８】
保管リスト生成部２４Ｂは、交換部品識別情報入力部４０に入力された部品識別情報ｔＩＤに基づいて、保管リストＤ３を生成する。
【００６９】
図１０（Ａ）は、交換部品識別情報リストを示す図である。交換部品識別情報リストＤ５は、例えば、交換部品Ｔ１〜Ｔｎと、その部品識別情報ｔＩＤ１〜ｔＩＤｎとが関連付けられたテーブルデータである。交換部品識別情報リストＤ５は、記憶部２０に記憶される。保管リスト生成部２４Ｂは、例えば、交換部品識別情報入力部４０に入力された部品識別情報ｔＩＤを交換部品識別情報リストＤ５に照合して対象の交換部品Ｔを特定する。保管リスト生成部２４Ｂは、特定した交換部品Ｔを保管リストＤ３に追加する。保管リスト生成部２４Ｂは、保管リストＤ３に追加した交換部品Ｔの保管場所Ｐを、作業者Ｕにより保管部２の入力部１２に入力された情報に基づいて追加する。このように、保管リスト生成部２４Ｂが交換部品識別情報入力部４０に基づいて保管リストＤ３を生成する場合、交換部品Ｔの情報を入力する際の誤りを防止することができる。
【００７０】
図１０（Ｂ）は、保管リスト生成のフローチャートである。上記保管リストＤ３の生成は、任意のタイミングで行うことができる。例えば、ステップＳ３１において、作業者Ｕは、交換部品Ｔを保管部２に保管する際、交換部品識別情報入力部４０により、交換部品Ｔの部品識別情報ｔＩＤの入力を行う。ステップＳ３２において、交換部品識別情報入力部４０に入力された部品識別情報ｔＩＤは、制御部４に送信される。ステップＳ３３において、制御部４は、保管リストＤ３に基づいて、空いている保管場所Ｐのロック機構９のロックを解除する指示を、ロック制御部２３Ａに実行させる。これにより、空いている保管場所Ｐの扉８のロックが解除される。ロックが解除された保管場所Ｐは、例えば、制御部４の制御により、保管部２Ｂの表示部１３に表示される。ステップＳ３４において、作業者Ｕは、ロックが解除された保管場所Ｐの扉８を開けて、交換部品Ｔを保管する。作業者Ｕが扉８を閉めた後、扉８は、ロック制御部２３Ａの制御により、ロック機構９でロックされる。ステップＳ３５において、保管リスト生成部２４Ｂは、交換部品識別情報入力部４０に入力された部品識別情報ｔＩＤに基づいて、保管リストＤ３を生成する。
【００７１】
出力部４２は、保管リストＤ３を出力する。出力部４２は、例えば、作業者Ｕの動作指令あるいは確認部４３の制御に基づいて、保管リストＤ３を、ディスプレイなどの表示装置、所定の端末、携帯端末ＴＭ、印刷装置（プリンタ）等に出力する。部品管理システム１Ｂが出力部４２を備える場合、保管される交換部品Ｔを簡単に確認することができる。なお、出力部４２は、所定の処理を施した保管リストＤ３に基づく情報を出力してもよい。また、出力部４２は、電子メールを送信することにより出力してもよい。また、出力部４２は、なくてもよい。
【００７２】
確認部４３は、保管リストＤ３に基づいて、保管部２に保管されている交換部品Ｔの在庫を確認する。図１１（Ａ）は在庫リストを示す図である。確認部４３は、例えば、保管リストＤ３に基づいて、交換部品Ｔ１〜Ｔｎが保管部２に保管される数（保管数）を示す在庫リストＤ６を生成する。これにより、確認部４３は保管部２に保管されている交換部品Ｔの在庫数を確認する。在庫リストＤ６は、例えば、交換部品Ｔ１〜Ｔｎと、交換部品Ｔ１〜Ｔｎの保管数ＳＴ１〜ＳＴｎとが関連付けられたテーブルデータである。在庫リストＤ６は、記憶部２０に記憶される。確認部４３は、在庫リストＤ６を適宜更新する。
【００７３】
また、確認部４３は、交換部品Ｔの在庫数が所定数より少ないか否かを判定する。確認部４３は、交換部品Ｔの在庫数と、予め設定された交換部品Ｔの在庫数の閾値（在庫閾値）を示す在庫閾値リストＤ７と、を比較することにより、在庫数が所定数より少ないか否かを判定する。図１１（Ｂ）は在庫閾値リストを示す図である。在庫閾値リストＤ７は、例えば、交換部品Ｔ１〜Ｔｎと、交換部品Ｔ１〜Ｔｎの在庫閾値Ｌ１〜Ｌｎとが関連付けられたテーブルデータである。在庫閾値リストＤ７は、予め記憶部２０に記憶される。
【００７４】
また、確認部４３は、交換部品Ｔの在庫数が所定数より少ないと判定した場合、その旨又は補充要請を出力部４２により出力させる。例えば、確認部４３は、「交換部品○○の在庫数が少ないです」、「交換部品○○の在庫を補充してください」などのメッセージを、出力部４２により出力させる。例えば、確認部４３は、上記その旨又は補充要請を、出力部４２により、ディスプレイなどの表示装置、端末、携帯端末ＴＭ、印刷装置（プリンタ）等に出力させる。なお、確認部４３は、なくてもよい。
【００７５】
自動発注部４４は、確認部４３により交換部品Ｔの在庫数が所定数より少ないと判定した場合、自動的に交換部品Ｔを発注先に発注する。自動発注部４４は、例えば、発注先リストＤ８に基づいて、自動的に交換部品Ｔを発注する。図１１（Ｃ）は発注先リストを示す図である。発注先リストＤ８は、例えば、交換部品Ｔ１〜Ｔｎと、交換部品Ｔ１〜Ｔｎの発注先を示す情報ＡＤ１〜ＡＤｎとが関連付けられたテーブルデータである。発注先を示す情報ＡＤ１〜ＡＤｎは、例えば、電子メールのアドレス、ＦＡＸ番号等である。自動発注部４４は、例えば、上記確認部４３の交換部品の在庫数の判定結果と、発注先を示す情報ＡＤ１〜ＡＤｎとに基づいて、電子メール、ＦＡＸなどを発信することにより、確認部４３により確認された在庫数が所定数より少ない交換部品Ｔを、発注先に自動的に発注する。
【００７６】
なお、部品管理システム１Ｂにおいて、上記本実施形態で説明した以外の動作は、第２実施形態の部品管理システム１Ａの動作と同様である。また、本実施形態に係る部品管理方法は、上述した本実施形態の部品管理システム１Ｂの動作を含む。
【００７７】
以上説明したように、本実施形態の部品管理システム１Ｂ及び部品管理方法は、作業者Ｕが交換部品を取得する際、作業者Ｕの労力及び作業時間を抑制し、且つ作業者Ｕによる誤った交換部品の取得を防止することができる。
【００７８】
また、部品管理システム１Ｂ及び部品管理方法は、交換部品識別情報入力部４０と、交換部品識別情報入力部４０に入力された部品識別情報ｔＩＤに基づいて保管リストＤ３を生成する保管リスト生成部２４Ｂとを備え、部品識別情報ｔＩＤに基づいて、自動的に保管リストＤ３を生成するので、保管リストＤ３の作成に伴う労力と作業時間を抑制し、且つ誤った保管リストＤ３を作成することを防止できる。また、部品管理システム１Ｂ及び部品管理方法は、保管リストＤ３に基づいて、保管部２Ｂに保管されている交換部品Ｔの在庫を確認する確認部４３を有し、確認部４３により確認された在庫数が所定数より少ない場合にその旨又は補充要請を出力部４２により出力させるので、保管する交換部品Ｔの在庫を簡単且つ確実に管理することができる。また、また、部品管理システム１Ｂ及び部品管理方法は、自動発注部４４を備えるので、交換部品Ｔの在庫を適切且つ簡単に補充することができる。
【００７９】
なお、本発明の技術範囲は、上述の実施形態などで説明した態様に限定されるものではない。上述の実施形態などで説明した要件の１つ以上は、省略されることがある。また、上述の実施形態などで説明した要件は、適宜組み合わせることができる。また、法令で許容される限りにおいて、上述の実施形態などで引用した全ての文献の開示を援用して本文の記載の一部とする。
【００８０】
例えば、上記した保管部２、２Ａ、２Ｂ、報知部３及び報知指示部２２は、それぞれ、一例であって、他の構成でもよい。例えば、各保管場所Ｐは、例えば、引き出し形状でもよい。また、例えば、保管部２、２Ａ、２Ｂ、報知部３、及び報知指示部２２は、下記第１変形例から第３変形例に示す構成でもよい。
【００８１】
図１２は、第１変形例に係る部品管理システム１Ｃを示す図である。部品管理システム１Ｃは、保管部２Ｃと、報知部３Ｃと、報知指示部２２Ｃとを備える点が、部品管理システム１、１Ａ、１Ｂと異なっている。保管部２Ｃは、照明装置１５を備えず、各保管場所Ｐの扉８に保管場所Ｐの識別番号（１、２・・・）が設けられている点が、上記した保管部２、２Ａ、２Ｂと異なり、これら以外は、上記した保管部２、２Ａ、２Ｂと同様である。報知部３Ｃは、保管部２、２Ａ、２Ｂの表示部１３である。報知部３Ｃは、報知指示部２２Ｃの制御により、対象の交換部品Ｔの保管場所Ｐを、保管部２、２Ａ、２Ｂの表示部１３に表示することで、複数の交換部品Ｔにおけるそれぞれの保管場所Ｐを報知する。
【００８２】
図１３は、第２変形例に係る部品管理システム１Ｄを示す図である。部品管理システム１Ｄは、図１２と同様の保管部２Ｃと、報知部３Ｄと、報知指示部２２Ｄとを備える点が、部品管理システム１、１Ａ〜１Ｃと異なっている。報知部３Ｄは、携帯端末ＴＭの表示部２９である。報知部３Ｄは、報知指示部２２Ｄの制御により、対象の交換部品Ｔの保管場所Ｐを携帯端末ＴＭの表示部２９に表示することで、複数の交換部品Ｔにおけるそれぞれの保管場所Ｐを報知する。
【００８３】
図１４は、第３変形例に係る部品管理システム１Ｅを示す図である。部品管理システム１Ｅは、保管部２Ｅと、報知部３Ｅと、備える点が、部品管理システム１、１Ａ〜１Ｄと異なっている。保管部２Ｅは、箱体状であり、内部に空間を有する。保管部２Ｅは、内部に配置される複数の保管場所Ｐと、取り出し口５０と、保管場所Ｐに保管される交換部品Ｔを取り出し口５０に搬送する搬送装置（図示せず）を備える。報知部３Ｅは、保管部２Ｅの外面（正面）に、複数設けられている。各報知部３Ｅは、交換部品Ｔ１〜Ｔｎに対応して設けられるボタン５１である。各ボタン５１は、照明装置を有する。報知部３Ｅは、報知指示部２２の制御により、対象の交換部品Ｔに対応するボタン５１の照明装置に対して、点灯、消灯、及び又は点滅のいずれかを実行させることで、複数の交換部品Ｔにおけるそれぞれの保管場所Ｐを報知する。例えば、報知部３Ｅは、報知指示部２２の制御により、対象の交換部品Ｔに対応するボタン５１の照明装置に対して、点灯又は点滅させることで、複数の交換部品Ｔにおけるそれぞれの保管場所Ｐを報知する。また、各ボタン５１は、搬送装置に対して、ボタン５１に対応する交換部品Ｔが保管される保管場所Ｐから、交換部品Ｔを取り出し口５０に搬送する動作指令を入力する。例えば、図１４の例では、点灯している交換部品Ｔ４に対応するボタン５１を押すことにより、搬送装置に対して、交換部品Ｔ４が保管される保管場所から、交換部品Ｔ４を取り出し口５０に搬送する動作指令が入力される。
【００８４】
また、上述の実施形態では、報知部３、３Ｃ〜３Ｅが、照明装置１５あるいはボタン５１の点灯、点滅、消灯等；あるいは、保管部２、２Ａ、２Ｂの表示部１３への表示等により、交換部品Ｔにおけるそれぞれの保管場所Ｐを報知する例を示したが、これに限定されず、報知部は、複数の交換部品Ｔにおけるそれぞれの保管場所Ｐを報知することが可能な任意の構成とすることができる。例えば、報知部が、対象の交換部品Ｔの保管場所Ｐの扉８のみを積極的に開けることにより、対象の交換部品Ｔの保管場所Ｐを報知する構成でもよい。この場合、例えば、保管部２、２Ａ〜２Ｃ、２Ｅの各保管場所Ｐには、扉８を開く駆動部が設けられ、報知指示部が、部品選択部２１が選択した保管場所の扉８が開くように、上記扉８を開く駆動部を制御することにより、対象の交換部品Ｔの保管場所Ｐを報知する構成としてもよい。また、この構成の場合、扉８に代えて、引き出し等の交換部品Ｔを収容する収容部材としてもよい。また、上記この構成の場合、ロック制御部２３及びロック機構９は、備えられてもよいし、備えられなくてもよい。
【符号の説明】
【００８５】
１、１Ａ〜１Ｅ・・・部品管理システム、
２、２Ａ〜２Ｃ、２Ｅ・・・保管部
３、３Ｃ〜３Ｅ・・・報知部
４、４Ａ、４Ｂ・・・制御部
８・・・扉
９・・・ロック機構
１５・・・照明装置
２０・・・記憶部
２１・・・部品選択部
２２、２２Ｃ、２２Ｄ・・・報知指示部
２３、２３Ａ・・・ロック制御部
２４、２４Ｂ・・・保管リスト生成部
３１・・・作業者識別情報入力部
３３・・・作業者選択部
３４・・・送信部
３５・・・判定部
４０・・・交換部品識別情報入力部
４２・・・出力部
４３・・・確認部
４４・・・自動発注部
Ｄ１・・・交換要請情報
Ｄ２・・・交換要請リスト
Ｄ３・・・保管リスト
Ｄ４・・・作業者リスト
Ｄ５・・・交換部品識別情報リスト
Ｄ６・・・在庫リスト
Ｄ７・・・在庫閾値リスト
Ｄ８・・・発注先リスト
Ｍ・・・工作機械
Ｐ、Ｐ１〜Ｐｎ・・・保管場所
Ｔ、Ｔ１〜Ｔｎ・・・交換部品
ＴＭ、ＴＭ１〜ＴＭ２・・・携帯端末
Ｕ、Ｕ１〜Ｕｎ・・・作業者
ｔＩＤ、ｔＩＤ１〜ｔＩＤｎ・・・交換部品識別情報
ｕＩＤ、ｕＩＤ１〜ｕＩＤｎ・・・作業者識別情報
【図１】
2019028921.tif 000003
【図２】
2019028921.tif 000004
【図３】
2019028921.tif 000005
【図４】
2019028921.tif 000006
【図５】
2019028921.tif 000007
【図６】
2019028921.tif 000008
【図７】
2019028921.tif 000009
【図８】
2019028921.tif 000010
【図９】
2019028921.tif 000011
【図１０】
2019028921.tif 000012
【図１１】
2019028921.tif 000013
【図１２】
2019028921.tif 000014
【図１３】
2019028921.tif 000015
【図１４】
2019028921.tif 000016